(57)【要約】    【課題】シンク台の下部に連結されて生ごみを撹拌と同時に微生物で分解させて残留物が残らないようにする生ごみ処理器の提供    【解決手段】  本発明による生ごみ処理器は、シンク台の下部に連結され、生ごみが投入される投入部と、前記投入部の下部に形成され、生ごみを撹拌手段で撹拌させながら微生物で分解する空間である分解槽と、前記分解槽の一方側に具備されて、分解槽に水を供給する給水手段と、前記分解槽の下部に形成され、分解槽から流入する水を一時保存して外部に排出させる排水槽と、前記分解槽と排水槽の外形を形成する外部ケースと、前記外部ケースの一方側に具備されて、前記撹拌手段と給水手段を制御する回路基板など多数の部品が設置される制御パネルを含んでなる。前記排水槽は前記分解槽から流入される水を濾過及び浄化させる浄化槽で代替可能である。【選択図】図３
2006231329.tif 000002
【特許請求の範囲】
【請求項１】
シンク台の下部に連結され、生ごみが投入される投入部と、
前記投入部の下部に形成され、生ごみを撹拌手段で撹拌させながら微生物で分解する空間である分解槽と、
前記分解槽の一方側に具備され、分解槽に水を供給する給水手段と、
前記分解槽の下部に形成され、分解槽から流入する水を一時保存して外部に排出させる排水槽と、
前記分解槽と排水槽の外形を形成する外部ケースと、
前記外部ケースの一方側に具備されて、前記撹拌手段と給水手段を制御する回路基板など多数の部品が設置される制御パネルを備えてなることを特徴とする生ごみ処理器。
【請求項２】
シンク台の下部に連結され、生ごみが投入される投入部と、
前記投入部の下部に形成され、生ごみを撹拌手段で撹拌させながら微生物で分解する空間である分解槽と、
前記分解槽の一方側に具備されて、前記分解槽に水を供給する給水手段と、
前記分解槽の下部に形成され、前記分解槽から流入する水を濾過及び浄化させる浄化槽と、
前記分解槽と浄化槽の外形を形成する外部ケースと、
前記外部ケースの一方側に具備されて、前記撹拌手段と給水手段を制御する回路基板など多数の部品が設置される制御パネルを備えてなることを特徴とする生ごみ処理器。
【請求項３】
前記投入部は、シンク台の下部に連結され、生ごみが投入される円筒状の投入口と前記投入口の外形を形成し、投入口を支持する上板と、前記投入口の内側に具備され、生ごみを一時保存する保存桶と、前記保存桶の下部に形成されて、保存桶の生ごみが前記分解槽に投入されるように案内するガイド板と、前記ガイド板の一方側に形成されて、前記分解槽で発生するにおいの逆流を防止するように流動するにおい逆流防止板を備えることを特徴とする請求項１又は２に記載の生ごみ処理器。
【請求項４】
前記分解槽には微生物が旺盛に培養されることができるように空間を提供する微生物培養器を備えることを特徴とする請求項１又は２に記載の生ごみ処理器。
【請求項５】
前記撹拌手段は、前記分解槽の空間を横切って回転する回転軸と、前記回転軸の一方側に多数個に結合され、生ごみと微生物培養器を撹拌させる撹拌羽と、前記撹拌羽の端部に結合され、前記分解槽の内周面と接触を強化させるパドルを含んでなることを特徴とする請求項１又は２に記載の生ごみ処理器。
【請求項６】
前記制御パネルには前記撹拌手段が回転するように回転力を提供する撹拌モータを備えることを特徴とする請求項１又は２に記載の生ごみ処理器。
【請求項７】
前記浄化槽には前記分解槽から流入する水を浄化させて排出する浄化手段を備えることを特徴とする請求項２に記載の生ごみ処理器。
【請求項８】
前記浄化槽の一方側には前記浄化手段で濾過されることができなかった水を再び前記分解槽に循環されるように案内する循環配管と、前記循環配管の一方側に具備されて、前記分解槽で水が循環されるように吸入力を提供する循環ポンプをもっと備えることを特徴とする請求項７に記載の生ごみ処理器。
【発明の詳細な説明】
【技術分野】
【０００１】
本発明は生ごみ処理器に関するもので、より詳しくは、シンク台の下部に連結されて生ごみを撹拌すると同時に微生物で分解させて残留物が残らないようにする生ごみ処理器に関する。
【背景技術】
【０００２】
一般的に家庭あるいは飲食店で排出される生ごみは水分を多量含む場合が大部分であり、一般の食べ物と一緒にゴミ箱に排出するので生活下水及び土壌を汚染させるなど環境汚染に悪い影響を及ぼすようになる。従って最近、一般ごみと生ごみ及びその他リサイクルが可能なごみなどに分別回収する生ごみ処理法が制定され、一般家庭や飲食店などではいちいち生ごみを浸出水がない状態でごみ袋に入れ、排出することが慣行されている。
【０００３】
一方、生ごみは水気が多いのでごみ用ビニール袋に入れて完全に包装すると言っても浸出水がごみ袋間から排出されるとか、ごみ袋が衝撃に弱く、裂けるようになると生ごみが外部に露出する場合が頻繁に発生する。これによって夏季のような暑い季節には生ごみの袋周りに蝿等が集まるとか、かびなどのような細菌が繁殖する環境を提供するので環境保護に反する問題が発生している。
【０００４】
このような問題点を勘案して市中には生ごみの水分をとり除く脱水装置や生ごみを分解して処理する処理装置が市販されている。このような生ごみ処理装置を利用すれば生ごみの容積を減らして処理するようになることで環境汚染を防止して、生ごみの処理費用を節減することができる利点がある。
【０００５】
しかしながら、このような生ごみ処理装置は大きくて高価なので、一般家庭で使うにはふさわしくないという問題点がある。特に、このような大規模生ごみ処理装置は生ごみを集めて生ごみ処理装置に投入しなければならないので、少量の生ごみが発生される一般家庭で使用するには非常に不便であるという問題点がある。
【０００６】
そのため、一般家庭では少量に発生される生ごみを処理するために粉砕機を利用したりする場合がある。このような粉砕機はシンク台の排水口に設置されて生ごみを粉砕することで下水口を通じて排出させるので、環境汚染を誘発させる問題点もある。従って、一般家庭で手軽く使うことができ、環境汚染を防止することができる生ごみ処理器が必要になっている。
【０００７】
【特許文献１】米国特許第５，７７２，９０５号明細書
【特許文献２】米国特許第６，５１８，１８９号明細書
【発明の開示】
【発明が解決しようとする課題】
【０００８】
そこで、本発明はこのような問題点に鑑みてなされたもので、その目的とするところは、シンク台の下部に連結されて生ごみを撹拌と同時に微生物で分解させて残留物が残らないようにする生ごみ処理器を提供することにある。
【課題を解決するための手段】
【０００９】
前記のような目的を果たすため、本発明に係る第１の生ごみ処理器は、シンク台下部に連結され、生ごみが投入される投入部と、前記投入部の下部に形成され、生ごみを撹拌手段で撹拌させながら微生物で分解する空間である分解槽と、前記分解槽の一方側に具備されて、分解槽に水を供給する給水手段と、前記分解槽の下部に形成され、分解槽から流入する水を一時保存して外部で排出させる排水槽と、前記分解槽と排水槽の外形を形成する外部ケースと、前記外部ケースの一方側に具備されて、前記撹拌手段と給水手段を制御する回路基板など多数の部品が設置される制御パネルを備えることを特徴とする。
【００１０】
また、本発明に係る第２の生ゴミ処理器は、シンク台の下部に連結されて、生ごみが投入される投入部と、前記投入部の下部に形成されて、生ごみを撹拌手段で撹拌させながら微生物で分解する空間である分解槽と、前記分解槽の一方側に具備されて、分解槽に水を供給する給水手段と、前記分解槽の下部に形成され、分解槽から流入する水を濾過及び浄化させる浄化槽と、前記分解槽と浄化槽の外形を形成する外部ケースと、前記外部ケースの一方側に具備されて、前記撹拌手段と給水手段を制御する回路基板など多数の部品が設置される制御パネルを備えることを特徴とする。
【００１１】
さらに、前記投入部は、シンク台の下部に結合されて、生ごみが投入される円筒状の投入口と前記投入口の外形を形成して、投入口を支持する上板と、前記投入口の内側に具備されて、生ごみを一時保存する保存桶と、前記保存桶の下部に形成されて、保存桶の生ごみが前記分解槽に投入されるように案内するガイド板と、前記ガイド板の一方側に形成されて、前記分解槽で発生するにおいの逆流を防止するように流動するにおい逆流防止板を備えることを特徴とする。
【００１２】
また、前記分解槽には微生物が旺盛に培養されることができるように空間を提供する微生物培養器（巣）を備えることを特徴とし、前記撹拌手段は、前記分解槽の空間を横切って回転する回転軸と、前記回転軸の一方側に多数個に結合され、生ごみと微生物培養器を撹拌させる撹拌羽と、前記撹拌羽の端部に結合され、前記分解槽の内周面と接触を強化させるパドルを含むことを特徴とする。
【００１３】
さらに、前記制御パネルには前記撹拌手段が回転するように回転動力を提供する撹拌モータと、前記浄化槽には前記分解槽から流入される水を浄化させて排出する浄化手段を備えることを特徴とする。
【００１４】
そして、前記浄化槽の一方側には前記浄化手段で濾過されることができなかった水を再び前記分解槽に循環されるように案内する循環配管と、前記循環配管の一方側に具備されて、前記分解槽で水が循環されるように吸入力を提供する循環ポンプをもっと備えることを特徴とする。
【００１５】
このような構成を持つ本発明によると、一般家庭で手軽く使うことができ、環境汚染を防止することができる利点がある。
【発明の効果】
【００１６】
本発明による生ごみ処理器では、シンク台の下部に結合されて生ごみを撹拌と同時に分解させて残留物が残らないように構成される。従って、一般家庭で手軽く使うことができ、環境汚染を防止することができる効果がある。そして、生ごみが投入される投入部ににおい逆流防止板が設置されて分解槽の生ごみから発生するにおいが投入部に逆流されないので使用者の不満を解消することができる効果がある。また、分解槽の下部に浄化槽を設置して浄化された水を外部に排出されるようにすると共に、浄化槽で浄化されなかった汚水は再び循環配管を通じて分解槽に供給することによって水質汚染を防止すると共に生ごみに使われる水を節約できる効果もある。
【発明を実施するための最良の形態】
【００１７】
以下に添付図面を参照しながら、本発明による生ごみ処理器の望ましい実施例について詳細に説明する。
【００１８】
図１は本発明による生ごみ処理器の一実施例による斜視図であり、図２は本発明による生ごみ処理器の他の実施例による概略的な構成図が図示されていて、図３は図1の分解斜視図が図示されている。
【００１９】
そして、図４には本発明による生ごみ処理器の投入部の底面を現わした斜視図が図示されているし、図５には本発明による生ごみ処理器で分解槽の内部を現わした部分斜視図が図示されている。
【００２０】
これら図面によれば、本発明による生ごみ処理器は大きく生ごみが投入される投入部（２００）と、前記投入部（２００）の下部に形成されて生ごみを撹拌手段（４００）で撹拌させながら微生物で分解する分解槽（３００）が具備される外部ケース（１００）と、前記外部ケース（１００）の側面に具備されて生ごみ処理器を制御する回路基板（５２０）などが設置される制御パネル（５００）などで構成される。
【００２１】
前記投入部（２００）の上端には一般家庭の台所に設置されるシンク台（図示せず）下部に結合される投入口（２２０）が形成される。前記投入口（２２０）はほぼ円形の長い筒の形状で、生ごみが投入されて前記分解槽（３００）に流入されるように分解槽と連動して形成される。
【００２２】
前記投入口（２２０）の外部一方側には投入口（２２０）に投入される生ごみに含まれている水分を排出するように案内する第1排出口（２２２）が形成され、前記第1排出口（２２２）の下端には四角板形状に成形される上板（２４０）が形成される。前記上板（２４０）は前記投入口（２２０)を支持して前記分解槽（３００）の外形を形成する外部ケース（１００）の上面を遮蔽する役割をして、周囲には外部ケース（１００）と結合されるようにスクリュー（Ｓｃｒｅｗ）が締結されるケース結合穴（２４２）が多数形成される。
【００２３】
そして、前記投入口（２２０）の内部にはシンク台から投入される生ごみが一時保存される貯蔵筒（２６０）が具備される。前記貯蔵筒（２６０）は図２に図示されたように前記投入口（２２０）の形状と同一のように成形されて、前記投入口（２２０）に収容できるように投入口の大きさより少し小さく形成され、生ごみに含まれている水分が前記第１排出口（２２２）で排出されるようにその外形を櫛歯形状で構成される。
【００２４】
前記貯蔵筒（２６０）の下部には図４に図示されたように前記投入口（２２０）に投入される生ごみを前記分解槽（３００）で案内するガイド板（２８０）が形成される。前記ガイド板（２８０）は前記投入口（２２０）を基準で所定の角度で傾くように設置されて生ごみが前記投入口（２２０）を通じて前記分解槽（３００）にうまく投入されることができるようにし、このようなガイド板（２８０）は前記上板（２４０）の底面とスクリュー（Screw、Ｓ）と結合されるガイド支持板（２８２）によって支持される。
【００２５】
前記ガイド板（２８０）の側方（傍）には前記分解槽（３００）から発生するにおいの逆流を防止するにおい逆流防止板（２９０）が形成される。前記におい逆流防止板（２９０）は前記投入口（２２０）の内面にヒンジ結合されて生ごみの重さで回動する。即ち、前記投入口（２２０）に投入される生ごみは前記ガイド板（２８０）によって案内されて前記におい逆流防止板（２９０）を側方に回動させながら前記分解槽（３００）に投入され、このように前記分解槽（３００）で生ごみが投入された後には側方に回動された前記におい逆流防止板（２９０）が重力によって前記ガイド板（２８０）側に回動復帰され、前記投入口との貫通を遮断することで前記分解槽から発生するにおいの逆流を防止するようになる。
【００２６】
前記投入部（２００）の下部には生ごみを撹拌手段（４００）で撹拌させながら微生物で分解する空間である分解槽（３００）が具備される外部ケース（１００）が形成される。前記外部ケース（１００）は上面が開口されたほぼ四角筒状に形成されて、わく上面には前記ケース結合穴（２４２）とスクリュー結合される上板結合穴（１０２）が多数成形されて、その内部には前記分解槽が形成される。前記分解槽は前記外部ケース（１００）と等しい形状の四角筒状で形成されて、下端部に一定の大きさのホール（Ｈ）が多数貫通される打穴網（３１０）が下側でラウンド形状に構成されて結合されている。
【００２７】
前記分解槽（３００）の内部には生ごみと共に投入される微生物が旺盛に培養されることができる空間を提供する微生物培養器（又は巣）（３２０）が具備される。前記微生物培養器（３２０）は花模様の形状が螺旋形状で成り立った形態を持って、このような微生物培養器（３２０）に微生物が棲息して培養されることで，以下に説明する給水手段（３４０）に供給される水の渦流にも微生物が流されないようになる。
【００２８】
前記分解槽（３００）の一方側上端には分解槽に水を供給する給水手段（３４０）が設置される。前記給水手段は第１ノズル（３４２）と第２ノズル（３４４）で構成されて前記分解槽の一側の上端両側に具備される。このように前記給水手段（３４０）が二つのノズル（３４２、３４４）で構成される理由は前記分解槽（３００）に投入される生ごみの撹拌をうまくすることと同時に前記微生物培養器（３２０）で繁殖される微生物に適当な培養条件を提供して前記分解槽をきれいに掃除をするためである。
【００２９】
ここで前記給水手段（３４０）が設置される分解槽（３００）の他の側面には給水手段に供給される水の円滑な排出のために多数の通孔（図示せず）が形成されることが望ましい。
【００３０】
また、前記分解槽（３００）には生ごみを撹拌させる撹拌手段（４００）が具備される。前記撹拌手段（４００）は前記分解槽（３００）の空間を横切って設置されて回転する回転軸（４２０）と、前記回転軸（４２０）の一側に多数個結合されて生ごみと微生物培養器（３２０）を撹拌させる撹拌羽（４４０）と、前記撹拌羽（４４０）の端部に結合されて前記分解槽（３００）の内周面と接触を強化させるパドル（４６０）で構成される。      
【００３１】
前記回転軸（４２０）は以下に説明する制御パネル（５００）に設置されて回転力を提供する撹拌モーター（５４０）と結合されて回転することになり、このように回転軸（４２０）に前記撹拌羽（４４０）が多数個、より詳細には前記分解槽（３００）の空間を勘案して３個が設置されることが望ましい。
【００３２】
前記撹拌羽（４４０）は前記分解槽（３００）の内部空間を横切って設置される回転軸（４２０）と垂直に結合されて回転して、前記分解槽（３００）の内周面と接触される端部が所定の面積を持って広く形成される杓子形状に形成される。そして、前記撹拌羽（４４０）の端部すなわち前記分解槽（３００）の内周面と接触される端部にはフレキシブルなパドル（４６０）がもっと具備され結合される。
【００３３】
前記パドル（４６０）は前記撹拌羽（４４０）の端部に挟まれてスクリュー（５）に結合されて、前記撹拌羽（４４０）と微生物培養集（３２０）の接触で微生物培養器（３２０）の破損を防止することと同時に前記分解槽（３００）の内周面との接触を強化させて生ごみと微生物培養器（３２０）がよくまじるようにする役割をする。
【００３４】
前記分解槽（３００）の下部には分解槽から流出する水を一時貯蔵して外部で排出する排水槽（３６０）が形成される。前記排水槽（３６０）は前記分解槽の下端部の広さと等しい大きさに成形され、一方側には一時貯蔵される水が外部に排出されるように案内する第２排出口（３６２）が連通されて形成される。
【００３５】
この時前記排水槽（３６０）の下端部は前記第２排出口（３６２）が形成される方向と反対方向が所定の角度で高く傾くように成形されて前記排水槽（３６０）に貯蔵される水がうまく第２排出口（３６２）で排出されることができるように構成されることが望ましい。一方、前記分解槽（３００）と排水槽（３６０）が形成される外部ケース（１００）の側面には前記撹拌手段（４００）と給水手段（３４０）及び生ごみ処理器の作動を制御する回路基板（５２０）等が設置される制御パネル（５００）が具備される。
【００３６】
前記制御パネル（５００）は大略四角板の形状に形成されて、背面には生ごみの動作のための前記回路基板（５２０）など多数の部品が設置される。即ち、前記回路基板の側傍には前記撹拌手段（４００）の回転軸（４２０）と結合されて回転動力を提供する撹拌モーター（５４０）が設置されて、前記撹拌モーター（５４０）の側傍には前記給水手段（３４０）と繋がれて前記分解槽（３００）内部に水を供給するように動作される給水ポンプ（５６０）などが具備される。
【００３７】
前記制御パネル（５００）の正面上端には前記回路基板（５２０）と繋がれて生ごみ処理器の作動のための作動ボタン（５８０）と動作及びエラーを表示する表示ランプ（５９０）がもっと具備されて、下端部には前記外部ケース（１００）のパネル結合突起（１０４）と結合されてスクリュー締結されるパネル結合穴（５０２）が貫通形成される。
【００３８】
そして、本発明による生ごみ処理器は図２に図示されたように構成することもできる。即ち、前記分解槽（３００）の下部に形成される排水槽（３６０）を取り替えて分解槽（３００）から流出される水を一時貯蔵しながら濾過及び浄化させる浄化槽（３８０）を構成することができる。
【００３９】
前記浄化槽（３８０）の内部には多数個のフィルター（Ｆｉｌｔｅｒ）で構成される浄化手段（３８２）が具備されて前記浄化槽（３８０）に流入される生ごみの水を浄化させてきれいな水を前記第２排出口（３８８）を通じて外部に排出することができるようになる。また、前記浄化槽（３８０）の一方側には前記浄化手段（３８２）で濾過されることができなかった水を再び前記分解槽（３００）に循環されるように案内する循環配管（３８４）が具備されて繋がれて、このような循環配管（３８４）の他側は前記分解槽（３００）の給水手段（３４０）で繋がれて、前記循環配管（３８４）の一方側には前記分解槽（３００）で浄化槽（３８０）の水が循環されるように吸入力を提供する循環ポンプ（３８６）が具備される。
【００４０】
従って、前記循環ポンプ（３８６）の吸入力で前記浄化槽（３８０）の水が前記分解槽（３００）の給水手段（３４０）を通じて再び分解槽（３００）に供給されて撹拌作用に提供されるし、前記分解槽から撹拌作用を経った水は再び前記浄化槽に流入され、浄化されて外部に排出されるようにずっと循環が可能になるようにする。
【００４１】
以下前記のような構成の本発明による生ごみ処理器の作用を詳しく見ると、前記投入部（２００）の貯蔵筒（２６０）に生ごみが満たされるようになれば前記貯蔵筒（２６０）を覆して前記投入口（２２０）に生ごみを投入するようになる。この時前記投入口（２２０）に投入される生ごみは前記ガイド板（２８０）に滑りながら案内されて前記におい逆流防止板（２９０）を回動させて前記分解槽（３００）に投入される。
【００４２】
このように前記分解槽（３００）に生ごみが投入されてから前記におい逆流防止板（２９０）が重力によってもとの場所に回動されて前記分解槽（３００）の生ごみから発生するにおいの逆流を防止するようになる。前記のように前記分解槽に生ごみが投入されてある程度（例えば1日分量）満たされるようになれば前記微生物培養器（３２０）と微生物を一定量投入するようになる。そして前記制御パネル（５００）の作動ボタン（５８０）を押せば生ごみ処理器が作動するようになる。
【００４３】
前記作動ボタン（５８０）の操作で前記制御パネル（５００）の表示ランプ（５９０）が発光すると前記分解槽（３００）の給水手段（３４０）で水が供給されて前記制御パネル（５００）の撹拌モーター（５４０）が回転して前記撹拌手段（４００）が動作することで前記分解槽（３００）に投入された生ごみと微生物培養器（３２０）及び微生物がお互いに混ぜながら撹拌される。ここで前記給水手段（３４０）は前記回路基板（５２０）の回路構成によって決まった間隔（例えば３０分に一回ずつ３０秒間）に供給されることができるように調節することができるし、前記撹拌手段（４００）も決まった時間（例えば３０分に一回ずつ３０秒間）に回転させるように調節することができる。
【００４４】
このように構成される回路基板（５２０）の制御によって前記分解槽（３００）で撹拌されることと同時に前記微生物培養器（３２０）で培養される微生物によって分解される生ごみは約１日に２ｋｇ程度になる。そして、前記分解槽（３００）で撹拌されるうちに流出される水は前記排水槽（３６０）に流入されて一時貯蔵されて、この一時貯蔵された水は前記排水槽（３６０）の第２排出口（３６２）を通じて案内されて外部に排出されることになる。
【００４５】
一方、図２に図示されるように浄化槽（３８０）が具備される生ごみ処理器の作用を見れば、前記分解槽（３００）の撹拌作用で分解槽（３００）から流出される水が前記浄化槽（３８０）に貯蔵される。このようになれば前記浄化槽（３８０）の浄化手段（３８２）を通じて浄化された水は前記第２排出口（３８８）を通じて外部に排出され、前記浄化手段（３８２）で浄化されることができなかった汚水は前記循環ポンプ（３８６）の吸入力に吸入されて前記循環配管（３８４）を経由して前記給水手段（３４０）を通じて前記分解槽（３００）に供給される。
【００４６】
前記分解槽（３００）に供給された汚水は分解槽の撹拌作用によって再び前記浄化槽（３８０）に流入し、このように流入した汚水は前記浄化手段（３８２）によって浄化されて外部に排出され、この過程でも浄化できなかった汚水は再び前記循環配管（３８４）を経由して前記分解槽（３００）に供給される過程を繰り返すようになる。
【００４７】
以上、本発明を具体的な実施例を取り上げて詳しく説明したが、これは本発明を具体的に説明するためであって、本発明による生ごみ処理器はこの実施例によって限定されない。また、本発明の範囲内で当業者はその変形や改良が可能である事は当然である。
【図面の簡単な説明】
【００４８】
【図１】本発明の生ごみ処理器の一実施例による斜視図。
【図２】本発明の生ごみ処理器の他の実試例による概略的な構成図。
【図３】図１の分解斜視図。
【図４】本発明の生ごみ処理器で投入部の底面を現わした斜視図。
【図５】本発明の生ごみ処理器で分解槽の内部を現わした部分斜視図。
【符号の説明】
【００４９】
１００  外部ケース                １０２  上板結合穴
１０４  パンネル結合突起２００  投入部
２２０  投入口                    ２２２  第１排出口
２４０  上板                      ２４２  ケース結合穴
２６０  貯蔵筒                    ２８０  ガイド板
２８２  ガイド支持板              ２９０  におい逆流防止板
３００  分解槽                    ３１０  打穴網
３２０  微生物培養器              ３４０  給水手段
３４２  第1ノズル                ３４４  第２ノズル
３６０  排水槽                    ３６２、３８８  第２排出口
３８０  浄化槽                    ３８２  浄化手段
３８４  循環配管                  ３８６  循環ポンプ
４００  撹拌手段                  ４２０  回転軸
４４０  撹拌翼                    ４６０  パドル
５００  制御パネル                ５０２  パネル結合穴
５２０  回路基板                  ５４０  撹拌モーター
５６０  給水ポンプ                ５８０  作動ボタン
５９０  表示ランプ                Ｈ  ホール
Ｓ  スクリュー
【図１】
2006231329.tif 000003
【図２】
2006231329.tif 000004
【図３】
2006231329.tif 000005
【図４】
2006231329.tif 000006
【図５】
2006231329.tif 000007